【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
ピペット装置のための永久磁石から成るピストンアセンブリ（１０）であって、前記ピストンアセンブリ（１０）は、ピストン軸（Ｋ）に沿って延在し、複数の永久磁石アセンブリ（１４ａ‐１４ｍ）を有しており、前記永久磁石アセンブリは、前記ピストン軸（Ｋ）に沿って、交互に相反する分極方向を有して、連続して配置されているので、前記ピストン軸（Ｋ）に沿って直接連続する２つの永久磁石アセンブリ（１４ｉ、１４ｊ）ごとに、異なる連続する永久磁石アセンブリ（１４ａ‐１４ｍ）の、前記ピストン軸（Ｋ）に沿って互いに最も近くに位置する磁極は、同種であることが有効である永久磁石から成るピストンアセンブリにおいて、
前記ピストンアセンブリ（１０）は、管軸（Ｈ）としての前記ピストン軸（Ｋ）に沿って延在する被覆管（１２）を含んでおり、前記被覆管内には、複数の前記永久磁石アセンブリ（１４ａ‐１４ｍ）が受容されていることを特徴とする、永久磁石から成るピストンアセンブリ（１０）。
【請求項２】
複数の前記永久磁石アセンブリ（１４ａ‐１４ｍ）が、複数の永久磁石を含んでおり、前記永久磁石の少なくとも一部が、前記被覆管（１２）に、接着剤及び／又はシーリングコンパウンドを用いて接続されていることを特徴とする、請求項１に記載の永久磁石から成るピストンアセンブリ（１０）。
【請求項３】
前記ピストン軸（Ｋ）に沿って直接連続する２つの永久磁石アセンブリ（１４ａ‐１４ｍ）の間には、軟磁性の分離体（１６）が配置されていることを特徴とする、請求項１又は２又は請求項１のおいて書きに記載の永久磁石から成るピストンアセンブリ（１０）。
【請求項４】
少なくとも１つの軟磁性の前記分離体（１６）が、ディスク様の分離体（１６）であり、前記分離体の前記ピストン軸（Ｋ）に直交する平均的な径方向寸法は、前記分離体の前記ピストン軸（Ｋ）に沿った平均的な軸方向寸法よりも大きいことを特徴とする、請求項３に記載の永久磁石から成るピストンアセンブリ（１０）。
【請求項５】
少なくとも１つの軟磁性の前記分離体（１６）が、前記被覆管（１２）に、接着剤又はシーリングコンパウンドを用いて接続されていることを特徴とする、請求項３又は４に記載の永久磁石から成るピストンアセンブリ（１０）。
【請求項６】
少なくとも１つの前記分離体（１６）が、角柱形の形状を有することを特徴とする、請求項３から５のいずれか一項に記載の永久磁石から成るピストンアセンブリ（１０）。
【請求項７】
少なくとも１つの前記分離体（１６）が、中実の角柱形の形状を有することを特徴とする、請求項６に記載の永久磁石から成るピストンアセンブリ（１０）。
【請求項８】
少なくとも１つの前記分離体（１６）が、円柱形の形状を有することを特徴とする、請求項３から５のいずれか一項に記載の永久磁石から成るピストンアセンブリ（１０）。
【請求項９】
少なくとも１つの前記分離体（１６）が、中実の円柱形の形状を有することを特徴とする、請求項８に記載の永久磁石から成るピストンアセンブリ（１０）。
【請求項１０】
複数の前記永久磁石アセンブリ（１４ａ‐１４ｍ）が、複数の永久磁石を含んでおり、前記永久磁石の少なくとも一部が、角柱形の形状を有することを特徴とする、請求項１から９のいずれか一項に記載の永久磁石から成るピストンアセンブリ（１０）。
【請求項１１】
前記永久磁石の少なくとも一部が、中実の角柱形の形状を有することを特徴とする、請求項１０に記載の永久磁石から成るピストンアセンブリ（１０）。
【請求項１２】
複数の前記永久磁石アセンブリ（１４ａ‐１４ｍ）が、複数の永久磁石を含んでおり、前記永久磁石の少なくとも一部が、円柱形の形状を有することを特徴とする、請求項１から９のいずれか一項に記載の永久磁石から成るピストンアセンブリ（１０）。
【請求項１３】
前記永久磁石の少なくとも一部が、中実の円柱形の形状を有することを特徴とする、請求項１２に記載の永久磁石から成るピストンアセンブリ（１０）。
【請求項１４】
シール長手方向端部（５６）としての軸方向の長手方向端部において、共に移動するために前記被覆管（１２）に接続されたシールアセンブリ（２２）を有しており、前記シールアセンブリは、前記被覆管（１２）から離れる方向において、軸方向に延在するシール部分（２８）を有しており、前記シール部分は、前記被覆管（１２）から離れる方向において、軸方向に突出したスリーブ構造（３４）を有しており、前記スリーブ構造は、軸方向部分において、前記被覆管（１２）から径方向に突出していることを特徴とする、請求項１から１３のいずれか一項に記載の永久磁石から成るピストンアセンブリ（１０）。
【請求項１５】
前記シールアセンブリ（２２）が、接続部分（２６）を有しており、前記接続部分は、前記被覆管（１２）内に軸方向において突出しており、前記被覆管（１２）に接続されていることを特徴とする、請求項１４に記載の永久磁石から成るピストンアセンブリ（１０）。
【請求項１６】
前記接続部分（２６）が、軸方向領域において、中央のリセス（３６）を有していることを特徴とする、請求項１５に記載の永久磁石から成るピストンアセンブリ（１０）。
【請求項１７】
前記軸方向領域が、前記スリーブ構造（３４）に軸方向に隣接した軸方向部分である、請求項１６に記載の永久磁石から成るピストンアセンブリ（１０）。
【請求項１８】
前記ピストンアセンブリ（１０）の前記シール長手方向端部（５６）の反対側に位置する他方の長手方向端部（５４）に、さらなるシールアセンブリ又はセンタリング部材（２４）が設けられていることを特徴とする、請求項１４から１７のいずれか一項に記載の永久磁石から成るピストンアセンブリ（１０）。
【請求項１９】
前記センタリング部材（２４）が、センタリング部分（４２）を有しており、前記センタリング部分は、前記被覆管（１２）から離れる方向において、軸方向に突出していることを特徴とする、請求項１８に記載の永久磁石から成るピストンアセンブリ（１０）。
【請求項２０】
前記センタリング部分（４２）の最大の径方向寸法は、前記シール長手方向端部（５６）における前記シールアセンブリ（２２）の最大の径方向寸法よりも小さいことを特徴とする、請求項１９に記載の永久磁石から成るピストンアセンブリ（１０）。
【請求項２１】
前記センタリング部分（４２）が、径方向において中央であり、軸方向に延在するリセス（４６）を有していることを特徴とする、請求項１９又は２０に記載の永久磁石から成るピストンアセンブリ（１０）。
【請求項２２】
前記シールアセンブリ（２２）及び／又はさらなるシールアセンブリ及び／又は前記センタリング部材（２４）が、少なくとも、前記シール部分（２８）又は前記センタリング部分（４２）の径方向外側を向いた面において、固体粒子が充填されたプラスチックから形成されていることを特徴とする、請求項１４から２１のいずれか一項に記載の永久磁石から成るピストンアセンブリ（１０）。
【請求項２３】
前記固体粒子が充填されたプラスチックが、雲母及び／又はグラファイト粒子が充填されたＰＴＦＥ又はポリオレフィンであることを特徴とする、請求項２２に記載の永久磁石から成るピストンアセンブリ（１０）。
【請求項２４】
請求項１から２３のいずれか一項に記載のピストンアセンブリ（１０）を有するピペット装置。